(57)【特許請求の範囲】
【請求項１】
外壁板の直張り縦張り用留め付け金具であって、
少なくとも１つのビス留め用の孔が設けられており、建物躯体側に当接される平板状の基板と、
該基板の上端および下端からそれぞれ前方に延びて外壁板の裏面を支持する上側スペーサ部および下側スペーサ部と、
前記基板から延び、該上側スペーサ部および下側スペーサ部よりもさらに前方に突出して外壁板の左右側部に係止される、少なくとも１つの係止部とからなる留め付け金具であり、
該留め付け金具は１枚の鋼板の板金加工によって形成されており、該鋼板は、
第１の基板形成領域と、
該第１の基板形成領域の上端および下端からそれぞれ上方および下方に延出している各領域であって、左右いずれか一方の側が該第１の基板形成領域よりも突出している上側スペーサ形成領域および下側スペーサ形成領域と、
前記第１の基板形成領域に対して前記左右いずれか一方の側と同じ側に、前記第１の基板形成領域から所定の幅で離間して位置する第２の基板形成領域と、
前記第１の基板形成領域と第２の基板形成領域とを繋いでいる少なくとも１つの係止部形成領域とからなる鋼板であって、
前記板金加工において、前記係止部形成領域を折り曲げることにより前記係止部を形成するとともに、同時に前記第１の基板形成領域と第２の基板形成領域とを同一平面上に配置させることにより前記基板を形成し、さらに前記上側スペーサ形成領域および下側スペーサ形成領域をそれぞれ折り曲げることにより前記上側スペーサ部および下側スペーサ部を形成することを特徴とする直張り縦張り用留め付け金具。
【請求項２】
前記鋼板の第１の基板形成領域および第２の基板形成領域のうち一方の基板形成領域が、他方の基板形成領域に向かって延出する少なくとも１つの延出領域を有し、該延出領域には少なくとも１つのビス留め用の孔が設けられており、
前記折り曲げ加工において、該延出領域の先端近傍が折り曲げられて前記他方の基板形成領域に積層されることを特徴とする請求項１記載の直張り縦張り用留め付け金具。
【請求項３】
前記ビス留め用の孔の左右いずれかの縁部には、ビスが柱材に対して斜めにねじ込まれるように形成された隆起部を有することを特徴とする請求項１または２記載の直張り縦張り用留め付け金具。
【請求項４】
少なくとも１つの補強のためのリブが設けられていることを特徴とする請求項１から３のいずれか記載の直張り縦張り用留め付け金具。
【請求項５】
隣接して立設する柱材と柱材のそれぞれに、請求項１から４のいずれか記載の直張り縦張り用留め付け金具が上下方向に所要個数取り付けてあり、前記柱材双方の留め付け金具に形成された前記係止部と係止部とで、外壁板の左右の側部が係止されていることを特徴とする外壁板の建物躯体への直張り縦張り留め付け構造。
【発明の詳細な説明】
【０００１】
【発明の属する技術分野】
本発明は、例えば窯業系の外壁板を、建物躯体に対して、胴縁等下地材を使用せずに直接に縦張り施工する場合に使用される留め付け金具と、該留め付け金具を使用した外壁板の留め付け構造に関する。
【０００２】
【従来の技術】
窯業系外壁板の施工方法には、外壁板の長手方向を横方向（水平方向）として躯体側に張り付けていく横張り工法と、長手方向を縦方向（上下方向）として躯体側に張り付けていく縦張り工法とがある。
【０００３】
縦張り工法では、図８に示すように、構造躯体である柱１及び間柱２に対して、先ず透湿防水シート（又はアスファルトフェルト）３を張り、柱１、間柱２にわたらせた横胴縁５を水平方向に、所定の間隔でもって複数段取り付け、該横胴縁５に外壁板（サイディングボード）（ここでは図示されない）を留め付けるようにしている。その際に、隣り合う左右の横胴縁５、５には隙間ｓを設けるようにして、通気用の通路を確保している。
【０００４】
この工法では、一般に、図９（ａ）の留め付け状態の横断面図、及び図９（ｂ）の表面図に示すように、外壁板１０、１０の左右の接合を側端部にそれぞれ形成された上下実部の合決り接合で行い、上下の接合を接合水切り金具６で行うようにしている。また、外壁板１０の留め付けに当たっては、従来より釘１１による釘打ち施工が採用されている。また、その場合の下地組としては、図８に示されるように、比較的短い横胴縁５を多数取り付ける必要があり、その手間と材料費は、施工コストや工期に大きな影響を与えている。
【０００５】
また、釘打ち施工は、一枚の外壁板１０ごとに独立して釘１１で固定していくため、左右の外壁板同士の位置決めについては必ずしも正確でない。また、釘１１の頭部分の補修塗装が必要であり、美観上の問題も有している。
【０００６】
上記問題を解決する縦張り工法として、特許第２９４１２７１号公報に開示されているような専用の留め付け金具を用いて外壁板を固定する方法がある。図１０（ａ）は、この縦張り工法での留め付け状態を示す斜視図であり、留め付け金具２０Ａを利用して横胴縁５が施工された躯体に対して外壁板１０が留め付けられている。また、図１０（ｂ）は、その施工横断面を示す図である。図１１は留め付け金具２０Ａの斜視図である。
【０００７】
この留め付け金具２０Ａは柱や間柱への取り付け面となる平板状の基板２１と、該基板２１の上下端から延出する上側スペーサ部２２と下側スペーサ部２３とを有し、上側および下側スペーサ部２２、２３の先端は垂直板部分２２ａ、２３ａとされている。さらに、上側スペーサ部２２と下側スペーサ部２３の間において、基板２１の一部はそれに直交する方向に切り起こされていて、係止部２４を形成している。係止部２４の先端には、相互に反対方向に折曲した３つの係止片２４ｄ，２４ｅ，２４ｆが形成されている。
【０００８】
次に、この留め付け金具２０Ａの使用態様を説明する。図１０（ｂ）は、留め付け金具２０Ａによって隣り合う外壁板１０が留め付けられた状態を示す断面図である。
図１０（ａ）、（ｂ）に示すように、はじめに、柱と間柱に透湿防水シート（またはアスファルトフェルト）３を貼り付け、その上から横胴縁５を打ち付け施工する。次に、１つの出隅部に出隅柱を固定した後（図示せず）、その右側に外壁板１０を配置する。
【０００９】
続いて、外壁板１０の右側端部が横胴縁５上に載っている部分の実部に対して、留め付け金具２０Ａ（図１１参照）の係止部２４ｅを係止させた状態で、該金具を横胴縁５に釘で打ち付け固定する。このとき、図１０（ｂ）に示すように、釘が横胴縁５に対して左方向に打ち込まれることで、外壁板１０の留め付けは確実なものとなる。
【００１０】
続いて、留め付けた外壁板１０の右側に、次なる外壁板１０の左側端部に形成された実部を、留め付け金具２０Ａの係止部２４ｄ，２４ｆに係止させて配置する。以降、同様の留め付け作業を繰り返す。
このような専用の留め付け金具を使用する縦張り工法によれば、外壁板の位置決め精度は高く、施工が容易であり、また、釘頭部分の補修は不要であり、美観が向上する。また、上下方向の側辺は複数箇所において留め付け金具２０Ａによって支持されており、釘打ち施工の場合と比較して、耐風圧強度も各段に向上する。
【００１１】
【発明が解決しようとする課題】
しかしながら、上記した専用の留め付け金具を使用する縦張り工法では、横胴縁を使用するようになっているため、留め付け金具の固定位置が、横胴縁上に限定されてしまい、施工自由度を下げてしまう。縦張り工法では、外壁板は、その長手方向を縦にして留め付けられるので、少なくとも、その上下端部付近については金具で固定されるべきであるが、横胴縁の取り付け位置によっては、必ずしも外壁板の上下端部付近に金具を取り付けられないという状況も起こり得る。
【００１２】
また、図１１に示す留め付け金具２０Ａを使用する場合、使用する横胴縁の幅（通常４５ｍｍ程度）を超えて該金具が横胴縁に固定されることになり、外壁板の留め付け強度を低くする原因になるおそれがある。さらに、係止部２４は基板２１の一部を切り起こすことにより形成されているため、基板２１に大きな開口部ができてしまい、金具自体の強度を低くする原因となっている。
【００１３】
また、横胴縁は、躯体と外壁板との間に十分な通気をとるために使用されるのであるが、この工法では必ず規格サイズの横胴縁を多数準備しなければならない上に、その取り付けには手間がかかり、結果的には施工コストを高める原因となっている。
【００１４】
本発明の目的は、留め付け金具を使用した外壁板の縦張り工法が持つ上記のような不都合を解消することにあり、より具体的には、横胴縁を使用せず柱や間柱に直接留め付け金具を取り付けて外壁板を固定していく直張り縦張り工法でありながら、外壁板と躯体との間に十分な通気層を確保し、且つ強固な留め付け強度を得ることを可能とした、外壁板の直張り縦張り用留め付け金具、及び、該金具を使用した縦張り外壁板の直張り留め付け構造を提供することを目的とする。
【００１５】
【課題を解決するための手段】
上記の課題を解決するための本発明による外壁板の直張り縦張り用留め付け金具は、少なくとも１つのビス留め用の孔が設けられており、建物躯体側に当接される平板状の基板と、該基板の上端および下端からそれぞれ前方に延びて外壁板の裏面を支持する上側スペーサ部および下側スペーサ部と、前記基板から延び、該上側スペーサ部および下側スペーサ部よりもさらに前方に突出して外壁板の左右側部に係止される、少なくとも１つの係止部とからなる留め付け金具であり、該留め付け金具は１枚の鋼板の板金加工によって形成されている。
【００１６】
そして該鋼板は、第１の基板形成領域と、該第１の基板形成領域の上端および下端からそれぞれ上方および下方に延出している各領域であって、左右いずれか一方の側が該第１の基板形成領域よりも突出している上側スペーサ形成領域および下側スペーサ形成領域と、前記第１の基板形成領域に対して前記左右いずれか一方の側と同じ側に、前記第１の基板形成領域から所定の幅で離間して位置する第２の基板形成領域と、前記第１の基板形成領域と第２の基板形成領域とを繋いでいる少なくとも１つの係止部形成領域とからなる。
【００１７】
前記板金加工においては、前記係止部形成領域を折り曲げることにより前記係止部を形成するとともに、同時に前記第１の基板形成領域と第２の基板形成領域とを同一平面上に配置させることにより前記基板を形成し、さらに前記上側スペーサ形成領域および下側スペーサ形成領域をそれぞれ折り曲げることにより前記上側スペーサ部および下側スペーサ部を形成する。
【００１８】
本発明による直張り縦張り用留め付け金具は、上記のようにして形成されていることにより、各スペーサ部および係止部が基板から大きく突出する形状としても十分な強度を確保することができ、かつ製造も容易である。また、縦方向に配置した外壁板の両側辺をしっかりと把持した状態で、該外壁板を柱材に確実に留め付けることができる。外壁板の裏面は、留め付け金具の上側スペーサ部および下側スペーサ部の上に載った状態で留め付けられるが、上側スペーサ部および下側スペーサ部の高さは、外壁板と建物躯体との間に十分な通気層を確保できる高さとすることができる。すなわち、柱材の表面と外壁板裏面との間に十分な通気層が確保され、たとえ防水紙が撓むなどして外壁板と防水紙との間隔が狭まった場合であっても、上記通気層が塞がれてしまうことはない。
【００１９】
上記工法を用いれば、従来の縦張り工法の場合のように、多数の横胴縁を柱材の間に取り付けることを必要としない（ツーバイフォー工法の場合も同じ）。それにより、留め付け作業は大きく簡素化され、その結果として、工期の大幅な短縮化が可能となり、施工コストも大きく低減する。
【００２０】
好ましい態様において、前記鋼板の第１の基板形成領域および第２の基板形成領域のうち一方の基板形成領域が、他方の基板形成領域に向かって延出する少なくとも１つの延出領域を有し、該延出領域には少なくとも１つのビス留め用の孔が設けられており、前記折り曲げ加工において、該延出領域の先端近傍が折り曲げられて前記他方の基板形成領域に積層される。延出領域を含む複数の位置にビス留め用の孔を設けておけば、留め付け金具を柱材に取り付ける際に留め易い孔を選んでビス留めすることができ、留め付けが容易になる。
【００２１】
好ましい態様において、前記ビス留め用の孔の左右いずれかの縁部に、ビスが柱材に対して斜めにねじ込まれるように形成された隆起部を有する。この態様においては、留め付け金具をビス留めする際に、留め付け金具が外壁板に対して側方からの圧力を加えるようにビスが斜めにねじ込まれることで、外壁板はより確実に固定される。
【００２２】
さらに好ましい態様において、本発明による留め付け金具には補強のためのリブが形成され、留め付け金具の強度がさらに向上される。
なお、本発明において「柱材」というときは、躯体の軸組において縦方向（上下方向）に走っているものすべてを総称しており、いわゆる、柱、間柱、くだ柱、ツーバイフォーの下地材、などが含まれる。
【００２３】
【発明の実施の形態】
以下、図面を参照して本発明の好ましい実施の形態を説明する。図１は、本発明による外壁板の縦張り用留め付け金具の一実施の形態を示す斜視図であり、図２はこの留め付け金具を使用した外壁板施工構造を示す斜視図である。なお、図１１に示した留め付け金具２０Ａと同じ部分には同じ符号を付している。
【００２４】
図１に示す留め付け金具２０は、図１１に示した留め付け金具２０Ａと同じく、柱材への取り付け面となる基板２１と、基板２１の上下端から延出する上側スペーサ部２２および下側スペーサ部２３と、係止部２４，２５とを備えているが、各部分の形成の仕方は図１１の留め付け金具２０Ａとは大きく異なる。以下にそれを説明する。
【００２５】
図３（ａ）は、留め付け金具２０の板金加工前の状態の鋼板を示す平面図である。この鋼板２００は、ステンレス鋼板からの打ち抜きにより形成されており、第１の基板形成領域２０１と、第１の基板形成領域２０１の上端および下端からそれぞれ上方および下方に延出する上側スペーサ形成領域２０２および下側スペーサ形成領域２０３と、第１の基板形成領域２０１の左方に離間して位置する第２の基板形成領域２０４と、第１の基板形成領域２０１と第２の基板形成領域２０４とを繋ぐ２つの係止部形成領域２０５、２０６とからなる。
【００２６】
上側スペーサ形成領域２０２および下側スペーサ形成領域２０３は、その左側の側部が第１の基板形成領域２０１よりも突出している。また、第１の基板形成領域２０１はその左側部において、２つの係止部形成領域２０５、２０６の間から左方に延出する延出領域２０１ａを有する。そして、第１の基板形成領域２０１には、延出領域２０１ａ内の１箇所と、その右方の１箇所の計２箇所にビス留め用の透孔２６が設けられている。
【００２７】
鋼板２００の折り曲げ加工に際しては、係止部形成領域２０５、２０６を折り曲げることにより係止部２４，２５を形成するとともに、このとき同時に第１の基板形成領域２０１と第２の基板形成領域２０４とを同一平面上に配置させることにより基板２１を形成する。第１の基板形成領域２０１の延出領域２０１ａの先端近傍は折り曲げられて第２の基板形成領域２０４に積層される。また、上側スペーサ形成領域２０２および下側スペーサ形成領域２０３をそれぞれ第１基板形成領域２０１に対して前方に９０°折り曲げ、さらにその先端をそれぞれ上下方向外方に９０゜折り曲げることにより、上側スペーサ部２２および下側スペーサ部２３を形成する。このとき上側スペーサ部２２および下側スペーサ部２３の前面には、基板２１に平行な垂直板部分２２ａ、２３ａが形成される。なお、図３（ａ）の鎖線は、この線にそって鋼板が折り曲げられることを示している。
【００２８】
ここで、係止部形成領域２０５を折り曲げて係止部２４を形成する工程について説明する。係止部２４は、外壁板１０の左右側辺に形成された実部１０ａ、１０ａ’に沿った形状となるように形成される。説明のため、係止部形成領域２０５を左端から右端にかけて７つの部分領域２０５ａ，２０５ｂ，…，２０５ｇに分ける。
【００２９】
まず、平板部２４ａは、係止部形成領域２０５の中央付近の３つの部分領域２０５ｃ，２０５ｄおよび２０５ｅが、断面で三角形をなすように折り曲げられることにより形成される。そして、これら３つの部分領域２０５ｃ，２０５ｄおよび２０５ｅの左右に隣接する各部分領域２０５ｂ，２０５ｅが積層され、さらに補強のためスポット溶接されて、左右当接面部２４ｂが形成される。さらに、残った２つの部分領域２０５ａ，２０５ｇが、それぞれ第２の基板形成領域２０４および第１の基板形成領域２０１に対して前方に折り曲げられて脚部ｃが形成される。
【００３０】
同様にしてもう１つの係止部形成領域２０６から係止部２５が形成される。このとき各係止部２４，２５はそれぞれ左右対称に形成される。そのため、第１の基板形成領域２０１と第２の基板形成領域２０４とは同一平面上に位置することになり、それにより基板２１が形成される。
【００３１】
基板２１に設けられた各透孔２６の左縁には隆起部２６ａが形成されている。施工時には、外壁板を左から順に留め付けていくことになるが、外壁板の右辺を縦張り用留め付け金具２０によって固定する際に、隆起部２６ａによりビス１１が斜め左方向にねじ込まれることで、外壁板はより確実に固定される。
【００３２】
上記のようにして形成される留め付け金具２０は、さらに強度を高めるため、基板２１に凸条リブ２７が形成されている。また、上側および下側スペーサ部２２、２３および係止部２４，２５それぞれと基板２１との各境界線に沿って、基板２１を隆起させて補強したリブ２８が複数箇所形成されている。
【００３３】
留め付け金具２０は以上説明したようにして形成されることにより、図１１に示した留め付け金具２０Ａと比較してコンパクトでありながら高い強度を持っており、上側および下側スペーサ部２２、２３および係止部２４，２５を基板２１から大きく突出させることが可能である。それにより、外壁板と建物躯体との間に十分な通気層を確保することができる。また、図１１の留め付け金具２０Ａに比べて、建物躯体への取り付け面として基板２１の裏面全部を使用するので、安定した留め付け状態を保つことができる。
【００３４】
図４（ａ）は留め付け金具２０の側面図であり、図４（ｂ）は施工時の状態を示している。垂直板部分２２ａ、２３ａの基板２１からの高さｈは１５ｍｍとされており、外壁板１０と柱１との間に十分な通気層を確保することができ、施工不良などにより柱１に張り付けた防水紙が撓んだりしても、通気層が塞がれてしまうことはない。また、係止部２４，２５の高さＨは、上側および下側スペーサ部２２、２３の高さｈよりも大とされ、その差（Ｈ−ｈ）は留め付けようとする外壁板１０の実部１０ａの先端の厚みとされる。
【００３５】
次に、留め付け金具２０を使用した直張り縦張り工法について説明する。図５（ａ）は、留め付け金具２０を使用した直張り縦張り工法による留め付け状態を示す図であり、図５（ｂ）は、留め付け金具２０によって隣り合う外壁板１０が留め付けられた状態を示す断面図である。柱１や間柱２などの軸組へ透湿防水シート３を張り付けることは従来工法と同様であるが、横胴縁は使用せず、透湿防水シート３の上から直接留め付け金具２０を留め付ける。留め付け金具２０を使用しての外壁板１０の固定の仕方については、図１１に示した留め付け金具２０Ａと同様であり、ここでは説明は省略する。
【００３６】
ただし、本発明による留め付け金具２０では、係止部２４，２５の形状が図１１の留め付け金具２０Ａとは異なっており、左右に隣接する外壁板１０，１０の相対する側辺にそれぞれ形成された実部１０ａ、１０ａ’が、留め付け金具２０の係止部２４，２５の平板部２４ａ、２５ａの下方に入り込み、実部１０ａ、１０ａ’の先端が左右当接面部２４ｂ、２５ｂに当接される。同時に、平板部２４ａ、２５ａの前面が外壁板１０の上実部１０ｂの裏面に当接される。
【００３７】
また、本発明による留め付け金具２０では、ビス留め用の透孔２６は２箇所設けられているが、どちらか留め易い方１箇所を使用してビス留めすればよい。なお、本実施例において外壁板１０の実部１０ａ’には予めコーキング材７が打設されているが、これは従来工法と同様である。
【００３８】
以上説明したように、本発明による留め付け金具２０は、上側および下側スペーサ部２２、２３の高さにより通気路が十分に確保されると共に、留め付ける外壁板の裏面を支持するため、耐風圧強度も高められる。なお、通気層の幅としては躯体と外壁板裏面との間を１５ｍｍ程度確保すれば十分である。もちろん、それ以上にすることも、本発明にかかる留め付け金具の構造からは可能である。
【００３９】
また、脚部２４ｃ、２５ｃ及び左右当接面部２４ｂ、２５ｂとからなる補強構造によって、平板部２４ａ及び２５ａが躯体より相当前方に突き出しても、十分な留め付け強度を確保することができる。さらに、透孔２６に設けた隆起部２６ａの働きによってビスによる留め付け強度を向上させることができる。
【００４０】
本発明による留め付け金具は、以上説明したものの他にも様々な態様が考えられる。例えば、図６は本発明による留め付け金具の他の態様を示す斜視図であり、図７（ｂ）はその平面図である。ここに示される留め付け金具２０Ｂは、係止部２４が１つだけ形成され、透孔２６も係止部２４の右方に１箇所だけ設けられている。このような留め付け金具２０Ｂの場合、その製造に使用される鋼板は図７（ａ）に示すようになる。すなわち、この鋼板２００Ｂでは、第１の基板形成領域２０１と第２の基板形成領域２０４とは１つの係止部形成領域２０５によって繋がれており、第１の基板形成領域２０１に上記延出領域は形成されていない。なお、各部分の機能並びに板金加工の仕方は図１に示した留め付け金具２０と同様であり、同じ部分に同じ符号を付すことにより説明は省略する。この留め付け金具２０Ｂは形状が簡素化されている分、製造が容易となる。
【００４１】
【発明の効果】
本発明によれば、横胴縁を使用せず柱や間柱に直接留め付け金具を取り付けて外壁板を固定していく縦張り工法でありながら、外壁板と躯体との間に十分な通気層を確保すると共に、外壁板の留め付け強度を大きく向上させることが可能となる。
【図面の簡単な説明】
【図１】本発明による外壁板の直張り縦張り用留め付け金具の一実施の形態を示す斜視図。
【図２】図１に示す留め付け金具を用いた外壁板の直張り縦張り留め付け状態を説明する斜視図。
【図３】図１に示す留め付け金具の板金加工前の状態の鋼板を示す平面図（図３ａ）と、図１に示す留め付け金具の平面図（図３ｂ）。
【図４】図１に示す留め付け金具の側面図（図４ａ）とその留め付け状態を示す側面図（図４ｂ）。
【図５】図１に示す留め付け金具を使用した直張り縦張り工法による留め付け状態を説明する図（図５ａ）、及び図２のＶ−Ｖ線による断面図（図５ｂ）。
【図６】本発明の他の態様による直張り縦張り用留め付け金具を示す斜視図。
【図７】図６に示す留め付け金具の板金加工前の状態の鋼板を示す平面図（図７ａ）と、図６に示す留め付け金具の平面図（図７ｂ）。
【図８】従来の外壁材の縦張り工法の説明に供される図。
【図９】従来の外壁材の縦張り工法での留め付け状態の説明に供される図。
【図１０】留め付け金具を用いた従来の縦張り工法での留め付け状態を説明する図（図１０ａ）、及び左右の外壁板の接合部分を示す断面図（図１０ｂ）。
【図１１】図１０に示す縦張り工法に使用される留め付け金具を示す斜視図。
【符号の説明】
２０…直張り縦張り用留め付け金具、２１…基板、２２…上側スペーサ部、２３…下側スペーサ部、２４…係止部、２５…係止部、２６…ビス留め用の孔、２００…鋼板、２０１…第１の基板形成領域、２０４…第２の基板形成領域、２０５…係止部形成領域、２０６…係止部形成領域
【図１】
0003628660.tif 000002
【図２】
0003628660.tif 000003
【図３】
0003628660.tif 000004
【図４】
0003628660.tif 000005
【図５】
0003628660.tif 000006
【図６】
0003628660.tif 000007
【図７】
0003628660.tif 000008
【図８】
0003628660.tif 000009
【図９】
0003628660.tif 000010
【図１０】
0003628660.tif 000011
【図１１】
0003628660.tif 000012